(57)【要約】【課題】撮影光束通過用の開ロを開閉可能な遮光部材を有する光学装置において、構成が簡単であり、しかも、光軸に直交する面の占有エリアが小さい光学装置を提供すること。【解決手段】光学装置であるシャッタユニット１６は、絞り開口３４ａを開閉するための凹状の前縁部３２ａ、または、凸状の前縁部３３ａがそれぞれ形成されたシャッタ羽根３２，３３を有しており、上記シャッタ羽根３２，３３は、１つの羽根支持ピン３１ｂに回動自在に支持され、シャッタアクチュエータ２７の単一の羽根駆動ピン２８ｄにより開閉駆動される。そして、上記シャッタ羽根は、絞り開口から退避した状態では、２枚のシャッタ羽根が重なった状態で退避位置にあり、絞り開口を遮蔽した状態では、２枚のシャッタ羽根が協働した状態で遮蔽する状態となる。【選択図】    図４
2004177693.tif 000002
【特許請求の範囲】
【請求項１】
撮影光束通過用の開口を協働して遮蔽する複数の遮光部材と、
上記複数の遮光部材を上記開口から退避する退避位置と、上記開口を遮蔽する遮蔽位置間を回動させ、上記遮光部材の退避位置側に配置された駆動手段と、
を備えており、上記複数の遮光部材は、回動中心を共通とし、且つ、上記駆動手段の１つの駆動係合子に共通して係合される係合穴をそれぞれ有し、上記退避位置にあっては重畳され、上記退避位置から遮蔽位置に同一方向で、且つ、異なる角度分だけ回動されて、上記開口を分割して遮蔽することを特徴とする光学装置。
【請求項２】
上記複数の遮光部材のうち、上記退避位置から遮蔽位置までの回動角度が最も小さく、退避位置から近い側の開口部分を専ら遮蔽するための遮光部材の前縁部は、上記遮光部材が上記退避位置に位置する状態で上記退避位置に近い側の開口部分に沿うよう形状を有しており、
上記複数の遮光部材のうち、上記退避位置から遮蔽位置までの回動角度が最も大きく、退避位置から見て遠い側の開口部分を専ら遮蔽するための遮光部材の前縁部は、上記遮光部材が上記遮蔽位置に位置する状態で上記退避位置に遠い側の開口部分に沿うよう形状を有していることを特徴とする請求項１記載の光学装置。
【請求項３】
カメラであって、請求項１、または、２記載の光学装置を搭載していることを特徴とするカメラ。
【発明の詳細な説明】
【０００１】
【発明の属する技術分野】
本発明は、撮影光束通過用開口を開閉する遮光部材を有するシャッタ装置である光学装置、または、該光学装置を搭載したカメラに関する。
【０００２】
【従来の技術】
従来から銀塩カメラ、および、デジタルカメラにおいては、携帯性の点から外形サイズを小型化することが常に要求されている。そのためにもカメラの内部ユニットの占有スペ−スを小さくすることが重要になる。上記内部ユニットの１つである撮像光学系系に搭載されるシャッタ装置（光学装置）は、銀塩カメラは勿論、デジタルカメラにも使用される。例えば、デジタルカメラにおいて、インターレース型撮像素子でのフレーム画像撮影時やプログレッシブ型撮像素子による画像撮影時におけるスミア対策のためには、メカニカルシャッタ装置が必要である。
【０００３】
上記シャッタ装置は、光路の遮蔽を薄い羽根の開閉により行うものであるからシャッタ装置の厚み方向（光軸方向）のサイズは、十分に小さい。そこで、上記シャッタ装置の小型化のためには、光軸に直交する面の占有エリアを如何に小さくするが必要である。この点を解決する先行技術として、例えば、特許文献１がある。
【０００４】
上記特許文献１によるシャッタ装置（光学装置）では、シャッタ羽根を枚数で左右２枚以上の羽根に分割して構成して開閉させる方式を採用したものである。このシャッタ装置では、上述のように羽根数は増えるが１枚の羽根の面積が小さくなるので従来のシャッタ装置よりも光軸直文面での占有面積が小さくなり、小型化が実現できる。
【０００５】
【特許文献１】
特許文献１とは、特許公開公報平８−３１３９６９号である。
【０００６】
【発明が解決しようとする課題】
しかし、上記特許文献１のシャッタ装置では、１枚の羽根面積は減るが、複数の羽根が互いに厚み方向で交差することがないように羽根の凹部の先端部が突出形状になっている。したがって、上記先端部の回動スペースを必要とし、光軸Ｏと直交する面の占有スペースが大きくなる可能性があった。また、構成羽根枚数が増えることから、構造が複雑化するという問題もあった。さらに、これらの問題以外にも先行例の羽根の駆動機構やレイアウトを見直し、シャッター装置のさらなるコンパクト化を実現することが必要である。
【０００７】
本発明は、上述の問題を解決するためになされたものであって、撮影光束通過用の開ロを開閉可能な遮光部材を有する光学装置において、構成が簡単であり、しかも、光軸に直交する面の占有エリアが小さい光学装置を提供することを１つの目的とし、さらに、上記光学装置が搭載され、コンパクト化が実現可能なカメラを提供することを他の目的とする。
【０００８】
【課題を解決するための手段】
本発明の請求項１記載の光学装置は、撮影光束通過用の開口を協働して遮蔽する複数の遮光部材と、上記複数の遮光部材を上記開口から退避する退避位置と、上記開口を遮蔽する遮蔽位置間を回動させる駆動手段とを備えており、上記複数の遮光部材は、回動中心を共通とし、且つ、上記駆動手段の１つの駆動係合子に共通して係合される係合穴をそれぞれ有し、上記退避位置にあっては重畳され、上記退避位置から遮蔽位置に同一方向で、且つ、異なる角度分だけ回動されて、上記開口を分割して遮蔽する。
【０００９】
本発明の請求項２記載の光学装置は、請求項１記載の光学装置において、上記複数の遮光部材のうち、上記退避位置から遮蔽位置までの回動角度が最も小さく、退避位置に近い側の開口を専ら遮蔽するための遮光部材（後述する実施形態では、第１シャッタ羽根）の前縁部は、上記遮光部材が上記退避位置に位置する状態で上記退避位置に近い側の開口に沿うよう形状を有しており、一方、上記複数の遮光部材のうち、上記退避位置から遮蔽位置までの回動角度が最も大きく、退避位置から遠い側の開口を専ら遮蔽するための遮光部材（後述する実施形態では、第２シャッター羽根）の前縁部は、上記遮光部材が上記遮蔽位置に位置する状態で上記遠い側の開口に沿うよう形状を有している。
【００１０】
本発明の請求項３記載のカメラは、請求項１、または、２記載の光学装置を搭載しているカメラである。
【００１１】
【発明の実施の形態】
以下、本発明の実施の形態を図に基づいて説明する。
図１は、本発明の光学装置であるシャッタユニットを適用するカメラ（デジタルカメラ）の外観図であり、図２は、上記カメラの内部配置を示す斜視図である。図３は、上記カメラに内蔵される鏡筒ユニットの構成を示す斜視図である。
【００１２】
なお、以下の配置の説明において左右方向は、カメラを被写体側からみたときの方向で示す。また、上下方向は、後述する上方鏡枠１１側であり、後述する光軸Ｏ２  の入射側を上方側とし、結像側、すなわち、ＣＣＤユニット２１側を下方側とする。さらに、光学装置の各部材の回動方向は、上方側からみた回動方向で示すものとする。
【００１３】
本発明の一実施形態であるカメラ１は、カメラ外装カバー２を有し、外装カバー２には、その前面部に光軸Ｏ方向の被写体光束を取り込むための撮影窓３とストロボ光を照射するためのストロボ窓４とが配置され、上面部に撮影開始を指示するためのレリーズ釦５が配置されている。
【００１４】
上記カメラ１には、図２に示すようにカメラ外装カバー２内部にレンズ鏡筒である鏡筒ユニット６と、上記鏡筒ユニット６の左方に配置され、ＣＰＵを含むカメラのメイン制御回路，メディアスロット等が実装される複数の電気基板７と、上記電気基板７の左下部に配置される電源用電池８等が主に収納されている。
【００１５】
上記鏡筒ユニット６は、上方鏡枠１１に組み付けられる折り曲げ光学系のパワープリズム１３と、下方鏡枠１２に組み付けられる移動可能なレンズを備えたレンズ装置部２０，下方端部に装着されるＣＣＤユニット２１，上下に装着されるステッピングモータであるレンズ駆動モータ２５，２６とを有してなる。
【００１６】
上記パワープリズム１３は、被写体側から入射する第１の光軸Ｏ１  に沿った被写体光束を下方に向けて第２の光軸Ｏ２  方向に９０°屈折させ、上記レンズ装置部２０のレンズ光学系に射出する。
【００１７】
上記レンズ装置部２０は、図３，４に示すように下方鏡枠１２に光軸Ｏ２  の左右両サイドに平行な状態で固定支持される２本のガイド軸１９Ａ，Ｂと、上記ガイド軸１９Ａ，Ｂに摺動自在に支持され、ズームレンズ１４を保持するズーム枠１５、および、フォーカスレンズ１７を保持するフォーカス枠１８と、ズーム枠１５とフォーカス枠１８の間の位置にて下方鏡枠１２にユニットベース部を介して固定支持される光学装置としてのシャッタユニット１６とを有してなる。
【００１８】
上記レンズ駆動モータ２５，２６は、下方鏡枠１２の上下位置に装着される２台のステッピングモータであって、それぞれリードネジ（図示せず）を有しており、その２本のリードネジは、下方鏡枠１２に光軸Ｏ２  に平行状態で回転可能に支持される。レンズ駆動モータ２５，２６は、それぞれズーミング，フォーカシング時に制御回路部により回転制御される。
【００１９】
上記ズーム枠１５とフォーカス枠１８とは、上記枠部材の切り欠きに摺動自在に嵌入するガイド軸１９Ａによって回転規制された状態でガイド軸１９Ｂに摺動自在に嵌入し、支持される。そして、ズーム枠１５には上記リードネジに螺合するナットに係合する係合部材が取り付けられており、該ズーム枠１５は、ズーミング時、上記リードネジの回転により上記係合部材を介して光軸Ｏ２  に沿って進退駆動される。また、上記フォーカス枠１８には上記リードネジに螺合するナットが取り付けられており、該フォーカス枠１８は、フォーカシングおよびズーミング時に上記リードネジの回転により上記ナットを介して光軸Ｏ２  に沿って進退駆動される。
【００２０】
上記ＣＣＤユニット２１は、図３に示すように光学フィルタ２２と、撮像素子であるＣＣＤ２３とＣＣＤ基板２４からなり、下方鏡枠１２の光軸Ｏ２  上の下方位置に固定支持される。
【００２１】
次に、上記鏡筒ユニット６のレンズ装置部２０に組み込まれるシャッタユニット１６の詳細な構成について、図４，５を用いて説明する。
図４は、上記シャッタユニットの分解斜視図であり、図５は、上記シャッタユニットの縦断面図である。
【００２２】
上記シャッタユニット１６は、図４に示すようにユニットベース３１と、複数の遮光部材である第１シャッタ羽根３２，第２シャッタ羽根３３と、ユニット蓋３４と、駆動手段であるロータリーソレノイドタイプのシャッタアクチュエータ２７とを有してなる。
【００２３】
上記ユニットベース３１は、金属製基板部３１ｍにアウトサート成形される樹脂部からなり、光軸Ｏ２  中心の位置に該光軸入射側の光軸Ｏ２  と直交する第１平面部３１ｅ上に設けられるベース開口３１ａと、第１平面部３１ｅより逃げ分だけ僅かに下がった平面に配置される羽根支持ピン３１ｂと、第１平面部３１ｅより所定寸法高い第２平面部３１ｆ上に配置される平面方向に凸状の第１ストッパ３１ｇおよび第２ストッパ３１ｈと、上記第２平面部３１ｆ上に設けられるユニット蓋３４の位置決めピン３１ｃと、側面に突出するユニット蓋固定用の２つの係止突起３１ｉ，３１ｊと、第１平面部３１ｅより下がった基板部３１ｋ平面に設けられる長穴３１ｄ、および、ビス挿通穴３１ｋとが設けられている。なお、上記リング開口３２ａは、後述するユニット蓋３４の絞り開口３４ａよりわずかに大きい開口とする。
【００２４】
上記シャッタアクチュエータ２７は、オンオフ回動位置に回動駆動される出力部である回動軸部２７ａを有しており、上記回動軸部２７ａが光軸Ｏ２  と平行な状態で、かつ、ユニットベース３１のベース開口３１ａ左側端であって、シャッタ羽根３２，３３の退避位置側にユニットベース３１のビス挿通穴３１ｋを挿通したビス３８によって取り付けされる。但し、シャッタアクチュエータ２７は、ユニットベース３１の金属基板部３１ｍに直接、点溶接で固着してもよい。なお、上記シャッタアクチュエータ２７の取り付け位置は、レンズ装置部２０の光軸Ｏ２  の左側の上記ガイド軸１９Ｂの近傍となる。
【００２５】
上記シャッタアクチュエータ２７の回動軸部２７ａには、側方に突出する羽根駆動アーム２８が固着されている（図５）。上記羽根駆動アーム２８の先端には、光軸Ｏ２  方向と平行な駆動係合子である羽根駆動ピン２８ｄが設けられており、該羽根駆動ピン２８ｄは、取り付け状態でユニットベース３１の長穴３１ｄを挿通してその上側に突出している。
【００２６】
上記第１シャッタ羽根３２と第２シャッタ羽根３３は、それぞれ退避位置と遮蔽位置を回動移動することによって、撮影光束通過用の上記ベース開口３２ａおよびユニット蓋３４の絞り開口３４ａを回動により協働して開閉する羽根である。第１シャッタ羽根３２には、回動ピン穴３２ｂと、係合穴３２ｄと、上記開口を開閉するための前縁部３２ａ、および、後縁部３２ｃとが設けられる。第２シャッタ羽根３３には、回動ピン穴３３ｂと、係合長穴（係合穴）３３ｄと、上記開口を開閉するための前縁部３３ａ、および、後縁部３３ｃが設けられる。
【００２７】
上記第１シャッタ羽根３２の係合穴３２ｄは、羽根駆動アーム２８の羽根駆動ピン２８ｄに対して第１シャッタ羽根３２の回動方向およびその直交方向に所定の隙間（遊び）を有する穴である。また、上記第２シャッタ羽根３３の係合長穴３３ｄは、羽根駆動アーム２８の羽根駆動ピン２８ｄに対して回動方向で殆ど遊びのない溝幅を有している。
【００２８】
上記第１，第２シャッタ羽根３２，３３は、光軸Ｏ２  方向に重ね、シャッタベース３１の第１平面部３１ｅ上に載せた状態で装着される。その装着状態で第１シャッタ羽根３２は、ユニットベース３１の羽根支持ピン３１ｂにピン穴３２ｂを回動自在に嵌入させた状態で、且つ、羽根駆動アーム２８の羽根駆動ピン２８ｄに係合穴３２ｄを挿入して取り付けられる。また、第２シャッタ羽根３３は、上記羽根支持ピン３１ｂにピン穴３３ｂを回動自在に嵌入させた状態で、且つ、上記羽根駆動ピン２８ｄに係合長穴３３ｄを摺動自在に嵌入して取り付けられる。
なお、上記各シャッタ羽根３２，３３の詳細な形状およびその開閉動作については後述する。
【００２９】
ユニット蓋３４には、光軸Ｏ２  上の絞り開口３４ａと、位置決めピン穴３４ｂ，３４ｃと、逃げ穴３４ｄと、立ち曲げ部に２つの係止穴３４ｉ，３４ｊとが設けられている。このユニット蓋３４は、シャッタ羽根３２，３３上方側にて羽根駆動ピン２８ｄを上記逃げ穴３４ｄに挿通させ、さらに、羽根支持ピン３１ｂと位置決めピン３１ｃを上記位置決めピン穴３４ｂ，３４ｃに挿通させて光軸Ｏ２  方向および光軸Ｏ２  直交方向を位置決めし、ユニットベース３１の第２平面部３１ｆ上に当接させる。上記の状態でユニット蓋３４の係止穴３４ｉ，３４ｊをユニットベース３１の係止突起３１ｉ，３１ｊにそれぞれ係止させてユニット蓋３４が装着される。
【００３０】
上述のように組み付けられた上記シャッタユニット１６においては、ユニットカバー３４とユニットベース３１の間にて第１，第２シャッタ羽根３２，３３がそれぞれ同一方向に開閉回動可能な状態で保持される。なお、上記シャッタユニット１６は、上記ユニットベース３１の投影面積内に収まって配置されることから、光軸Ｏ２  直交面上の占有エリアがユニットベース３１で与えられる。
【００３１】
次に、上述した構成を有するシャッタユニット１６におけるシャッタ羽根の詳細な形状とシャッタ開閉動作について、図６〜９により説明する。
図６〜９は、シャッタ羽根の状態を光軸Ｏ２  入射側から見た平面図であって、図６は、上記シャッタユニットにおけるシャッタ羽根による絞り開口の開閉状態を示す平面図である。図７（Ａ），７（Ｂ）は、上記シャッタユニットにおける第１シャッタ羽根単独での開閉状態を示す平面図であって、図７（Ａ）は、第１シャッタ羽根が退避位置にある開状態、図７（Ｂ）は、第１シャッタ羽根が遮蔽位置にある閉状態を示す。図８（Ａ），８（Ｂ）は、上記シャッタユニットにおける第２シャッタ羽根単独での開閉状態を示す平面図であって、図８（Ａ）は、第２シャッタ羽根が退避位置にある開状態、図８（Ｂ）は、第２シャッタ羽根が遮蔽位置にある閉状態を示す。図９（Ａ），９（Ｂ），９（Ｃ）は、第１，第２シャッタ羽根による絞り開口の開状態から閉状態の変化を示す平面図であって、図９（Ａ）は、が開状態（シャッタ羽根退避位置状態）を示し、図９（Ｂ）は、開閉途中の状態を示し、図９（Ｃ）は、閉状態（シャッタ羽根遮蔽位置状態）を示す。
なお、図６上で第１，第２シャッタ羽根の実線，破線が退避位置、また、第１，第２シャッタ羽根の２点鎖線が遮蔽位置を示し、羽根駆動アームの破線が開放駆動位置（退避位置）、また、羽根駆動アームの２点鎖線が閉鎖駆動位置（遮蔽位置）を示している。
【００３２】
上記シャッタアクチュエータ２７の羽根駆動アーム２８は、図７（Ａ），図８（Ａ）等に示す開放（退避状態）駆動位置から図７（Ｂ），図８（Ｂ）等に示す閉鎖（遮蔽状態）駆動位置との所定の範囲を回動するものとする。この羽根駆動アーム２８により第１シャッタ羽根３２は、係合穴３２ｄに挿入される羽根駆動ピン２８ｄを介して図７（Ａ）の退避位置から図７（Ｂ）の遮蔽位置に回動駆動される。
【００３３】
第１シャッタ羽根３２は、その係合穴３２ｄが前述したように羽根駆動ピン２８ｄに対して回動方向に遊びを有していることから、羽根駆動アーム２８の所定角度の開閉回動に対して係合長穴３３ｄに回動方向に遊びのない第２シャッタ羽根３３よりも実回動角度が小さくなる。この回動角度の違いによって、退避位置では重なって収納される第１シャッタ羽根３２と第２シャッタ羽根３３とは、異なる位置に移動して絞り開口３４ａを分割して遮蔽することができる。
【００３４】
また、第１シャッタ羽根３２は、係合穴３２ｄに回動方向の遊びがあるために退避位置と遮蔽位置にあるとき、ユニットベース３１のストッパ３１ｇ，３１ｈに当接させることによって、上記退避位置、または、遮蔽位置の各回動位置で保持されるようになっている。すなわち、第１シャッタ羽根３２が退避位置にあるとき、羽根駆動ピン２８ｄは、係合穴３２ｄの外側端部に当接し、かつ、第１シャッタ羽根３２の後端側端面がユニットベース３１の第１ストッパ３１ｇに当接した状態に保持され、第１シャッタ羽根３２は、退避位置に位置決めされる（図７（Ａ））。
【００３５】
第１シャッタ羽根３２が退避位置から遮蔽位置に時計回りに回動した状態では、羽根駆動ピン２８ｄは、係合穴３２ｄの内側端部に当接し、かつ、第１シャッタ羽根３２の前側端面がユニットベース３１の第２ストッパ３１ｈに当接した状態に保持され、第１シャッタ羽根３２は、遮蔽位置に位置決めされる（図７（Ｂ））。
【００３６】
一方、第２シャッタ羽根３３は、係合長穴３３ｄが羽根駆動ピン２８ｄに対して遊びがないため、羽根駆動アーム２８の回動により一義的に退避位置と遮蔽位置に位置決めされる（図８（Ａ），８（Ｂ））。
【００３７】
上記第１シャッタ羽根３２の前縁部３２ａは、図７（Ａ）に示すように退避位置にあるときに絞り開口３４ａの退避側に近い側の退避側周辺３４ａ１に沿って退避するような凹形状を有する。その凹形状の曲率半径Ｒ１  は、光軸Ｏ２  を中心にして絞り開口３４ａの半径より所定寸法大きく設定されており、上記退避位置にて第１シャッタ羽根３２が絞り開口３４ａの退避側周辺３４ａ１から確実に退避するようになっている。また、上記第１シャッタ羽根３２の後縁部３２ｃは、図７（Ｂ）に示すように遮蔽位置にあるときに絞り開口３４ａの退避側周辺３４ａ１を覆う凸形状を有する。
【００３８】
上記第２シャッタ羽根３３の前縁部３３ａは、図８（Ｂ）に示すように遮蔽位置にあるときに絞り開口３４ａの退避側から遠い側の反退避側周辺３４ａ２を覆うような凸形状を有する。その凸形状の曲率半径Ｒ２  は、上記前縁部３２ａの曲率半径Ｒ１  と略等しく、光軸Ｏ２  を中心にして絞り開口３４ａの半径より所定寸法大きく設定されており、上記遮蔽位置にあるとき、第２シャッタ羽根３３が絞り開口３４ａの反退避側周辺３４ａ２を確実に覆うようになっている。なお、上記前縁部３３ａは、図８（Ａ）に示すように退避位置にあるとき、絞り開口３４ａから退避しているものとする。
【００３９】
また、上記第２シャッタ羽根３３の後縁部３３ｃは、凸形状を有しており、図９（Ｃ）に示すように遮蔽位置にあるとき、第１シャッタ羽根３２の前縁部３２ａと重なった状態に保持される。
【００４０】
上記第１，第２シャッタ羽根３２，３３によるユニット蓋３４の絞り開口３４ａの開閉動作を説明すると、図９（Ａ）に示すように羽根駆動アーム２８が開放駆動位置にあるときは、第１シャッタ羽根３２は、羽根駆動アーム２８の羽根駆動ピン２８ｄにより係合穴３２ｄを介して反時計回り方向に回動駆動されており、ユニットベース３１の第１ストッパ３１ｇに当接した退避位置にある。一方、第２シャッタ羽根３３は、羽根駆動ピン２８ｄにより嵌合長穴３３ｄを介して反時計回り方向に回動駆動されて同じく退避位置にある。この退避状態では、ユニット蓋３４の絞り開口３４ａの退避側周辺３４ａ１から第１シャッタ羽根３２の前縁部３２ａと第２シャッタ羽根３３の前縁部３３ａが退避しており、第１シャッタ羽根３２と第２シャッタ羽根３３とが重なった状態である。
【００４１】
続いて、羽根駆動アーム２８が閉鎖駆動位置方向に回動すると、図９（Ｂ）に示すように第２シャッタ羽根３３が時計回りに回動駆動され、その前縁部３３ａによって、絞り開口３４ａの中央を遮蔽する状態となる。しかし、第１シャッタ羽根３２は、羽根駆動ピン２８ｄに対して係合穴３２ｄに遊びがあるため、回動を開始せず、退避位置状態に保持される。
【００４２】
さらに、羽根駆動アーム２８が回動して閉鎖駆動位置に到達すると、図９（Ｃ）に示すように第２シャッタ羽根３３は、その前縁部３３ａで絞り開口３４ａの遮蔽位置まで回動駆動される。一方、第１シャッタ羽根３２は、羽根駆動ピン２８ｄにより係合穴３２ｄを介して先行する第２シャッタ羽根３３の後を追った状態で時計回り方向に回動駆動され、ユニットベース３１の第２ストッパ３１ｈに当接する遮蔽位置まで回動駆動される。この第１シャッタ羽根３２の退避位置から遮蔽位置までの回動角度は、第２シャッタ羽根３３の回動角度より係合穴３２ｄに遊び分だけ少なくなっている。
【００４３】
上記遮蔽状態では、第１シャッタ羽根３２の後縁部３２ｃで絞り開口３４ａの退避側周辺３４ａ１が覆われる。そして、絞り開口３４ａの中央部分は、第２シャッタ羽根３２の後縁部３３ｃに第１シャッタ羽根３３の前縁部３３ａが重複した状態で覆われる。さらに、第２シャッタ羽根３３の前縁部３３ａにより絞り開口３４ａの反退避側周辺３４ａ２が覆われる。このようにシャッタ閉鎖状態では、絞り開口３４ａは、第１，第２シャッタ羽根３２，３３で分割した状態で協働して遮蔽される。
【００４４】
上述したシャッタユニット１６を内蔵する本実施形態のカメラ１により撮影を実行する場合、まず、ズーム枠１５を光軸Ｏ２  方向に進退駆動してレンズ装置２０のズーム状態を所望の状態にセットする。上記ズーミング時、フォーカス枠１８も対応位置に移動する。第１，第２シャッタ羽根３２，３３は、絞り開口３４ａから退避した退避位置に保持されている（図６，図９（Ａ））。また、図示しない測光部により被写体輝度が測定され、その輝度データが制御回路部に取り込まれる。
【００４５】
続いて、レリーズ釦５の押圧操作に応じてフォーカス枠１８が進退駆動され、フォーカシングされ、被写体光束がＣＣＤ２３の結像面に結像する。ＣＣＤ２３により被写体像が電気的撮像信号に変換される。上記被写体輝度に応じた時間経過後、第１，第２シャッタ羽根３２，３３は、図９（Ｃ）に示す絞り開口３４ａを覆う遮蔽位置までに回動駆動され、ＣＣＤ２３への被写体光束がカットされる。
【００４６】
上記電気的撮像信号は、上記ＣＰＵによるの制御のもとでデジタル画像信号に変換されてメモリに記録され、撮影が終了する。
【００４７】
上述した本実施形態のカメラ１における光学装置であるシャッタユニット１６においては、複数のシャッタ羽根である第１，第２シャッタ羽根３２，３３の回動中心を１つの羽根支持ピン３１ｂで支持し、さらに、上記シャッタ羽根３２，３３を駆動係合子として単一の羽根駆動ピン２８ｄにより回動駆動している。また、絞り開口３４ａを上記シャッタ羽根３２，３３で協働して遮蔽する構成とし、上記シャッタ羽根３２，３３の退避状態では、互いに重ねた状態に保持する。また、シャッタ羽根駆動用アクチュエータ２７をシャッタ羽根退避位置側に配置している。したがって、本シャッタユニット１６によれば、構成が簡単になり、しかも、光軸Ｏ２  と直交する方向の占有エリアを小さくまとめることが可能となる。そして、シャッタユニット１６を収納するユニットベース３１とユニット蓋３４を小さくまとめ、例えば、ズーム枠１５やフォーカス枠１８の光軸Ｏ２  と直交する方向の配置エリア内に収納することが可能となり、カメラのコンパクト化が実現できる。
【００４８】
また、上記第１，第２シャッタ羽根３２，３３のうち、絞り開口３４ａの退避側から退避するべき第１シャッタ羽根３２の前縁部を凹形状の部材とし、絞り開口３４ａの反退避側を覆うべき第２シャッタ羽根３３側の前縁部を凸形状とすることによって、遮蔽状態にあるとき絞り開口３４ａから不必要に外方に突出する部分がなくなり、上記シャッタ羽根３２，３３の占有スペ−スを減らすことができ、この点からもシャッタユニット１６のコンパクト化が可能となる。例えば、従来のシャッタユニットのように２枚のシャッタ羽根として凹部形状の羽根を適用すると、遮蔽状態にあるとき、シャッタ羽根の凹部を形成する突出部が絞り開口の外方に突出する状態となるので占有スペ−スが増大する。
【００４９】
また、上記シャッタアクチュエータ２７の配置位置がズーム枠１５やフォーカス枠１８の一方のガイド軸の近傍に配置することによってシャッタユニット１６を内蔵するレンズ装置２０に生じるデットスペ−スを減らすことができる。
【００５０】
なお、上述した実施の形態は、デジタルカメラの例で説明したが、本発明による光学装置は、銀塩フィルム用カメラや携帯電話やＰＤＡに内蔵されるカメラ部に適用してもよく、上記搭載されたカメラや携帯電話やＰＤＡの小型化を図ることができる。
【００５１】
さらに、光学装置である上記シャッタユニット１６を構成する遮光部材は、２枚構成のシャッタ羽根を適用したが、これに限らず、例えば、協働して絞り開口を開閉する２枚以上のシャッタ羽根を用いるシャッタユニットにも本発明の要旨は、適用可能である。
【００５２】
上述した本発明の第１の光学装置によれば、複数の遮光部材の回動中心、おび、上記遮光部材を駆動する駆動係合子を共通にしたので、光学装置の小型化が図られる。
【００５３】
また、本発明の第２の光学装置によれば、上記第１の光学装置の効果に加えてさらに、絞り開口の退避位置から遠い側を遮蔽する一方の羽根を凸部形状にすることにより、遮蔽状態で余計な突出部分を生じることがなく、光学装置としてコンパクトにまとめることができる。
【００５４】
さらに、本発明のカメラによれば、上記第１、または、第２の光学装置を組み込むようにしたので、カメラのコンパクト化が実現可能となる。
【００５５】
【発明の効果】
上述のように本発明の光学装置によれば、複数の遮光部材を協働して撮影光束通過用開口を遮蔽する構成において、上記複数の遮光部材を共通の回動中心で単一の駆動係合子により異なる角度だけ回動させるように構成したので光学装置をコンパクトにまとめることが可能となる。
【図面の簡単な説明】
【図１】本発明の光学装置であるシャッタユニットを適用するカメラの外観図である。
【図２】上記図１のカメラの内部配置を示す斜視図である。
【図３】上記図１のカメラに内蔵される鏡筒ユニットの構成を示す斜視図である。
【図４】上記図３の鏡筒ユニットに組み込まれるシャッタユニットの分解斜視図である。
【図５】上記図４のシャッタユニットの縦断面図である。
【図６】上記図４のシャッタユニットにおけるシャッタ羽根の絞り開口の開閉状態を示す平面図である。
【図７】上記図４の上記シャッタユニットの第１シャッタ羽根単独での開閉状態を示す平面図であって、図７（Ａ）は、第１シャッタ羽根が退避位置にある開状態、図７（Ｂ）は、第１シャッタ羽根が遮蔽位置にある閉状態を示す。
【図８】上記図４の上記シャッタユニットの第２シャッタ羽根単独での開閉状態を示す平面図であって、図８（Ａ）は、第２シャッタ羽根が退避位置にある開状態、図８（Ｂ）は、第２シャッタ羽根が遮蔽位置にある閉状態を示す。
【図９】上記図４の上記シャッタユニットの第１，第２シャッタ羽根による絞り開口の開状態から閉状態の変化を示す平面図であって、図９（Ａ）は、開状態（退避状態）を示し、図９（Ｂ）は、開閉途中の状態を示し、図９（Ｃ）は、閉状態（遮蔽状態）を示す。
【符号の説明】
２７  …シャッタアクチュエータ（駆動手段）
３２  …第１シャッタ羽根（遮光部材）
３２ａ…前縁部（遮光部材の前縁部）
３３  …第２シャッタ羽根（遮光部材）
３３ａ…前縁部（遮光部材の前縁部）
３４ａ…絞り開口（撮影光束通過用の開口）
３４ａ１…退避側開口部分
（退避位置に近い側の開口部分）
３４ａ２…反退避側開口部分
（退避位置に遠い側の開口部分）
【図１】
2004177693.tif 000003
【図２】
2004177693.tif 000004
【図３】
2004177693.tif 000005
【図４】
2004177693.tif 000006
【図５】
2004177693.tif 000007
【図６】
2004177693.tif 000008
【図７】
2004177693.tif 000009
【図８】
2004177693.tif 000010
【図９】
2004177693.tif 000011